(57)【要約】【課題】ガゼット袋の開口面積を損なわずにこの開口部を開閉することが可能になり、収納物の充填作業や収納物の取り出し作業を容易に行うことができるファスナー付きガゼット袋を提供する。【解決手段】開口部にファスナー２０を備えたファスナー付きガゼット袋１０を設ける。ガゼット袋１０は前面フィルム１１と後面フィルム１２と横マチフィルム１３にて囲まれた開口部を備える。ファスナー２０は開口部の各フィルムの内側に沿って接合された帯状を成すように設けられる。隣接するファスナー２０相互が相対して嵌合するように設けられる。開口部の前面フィルム１１と後面フィルム１２との間に左右の横マチフィルム１３が折り込まれた状態で該開口部が開閉自在になるように構成する。【選択図】図４
2012111520.tif 000002
【特許請求の範囲】
【請求項１】
開口部にファスナーを備えたファスナー付きガゼット袋において、該ガゼット袋は前面フィルムと後面フィルムと横マチフィルムにて囲まれた開口部を有し、ファスナーは開口部の各フィルムの内側に沿って溶着された帯状を成し、隣接するファスナー相互が相対して嵌合するように設けられ、開口部の前面フィルムと後面フィルムとの間に左右の横マチフィルムが折り込まれた状態で該開口部が開閉自在になるように構成されたことを特徴とするファスナー付きガゼット袋。
【請求項２】
前記ファスナーは、帯状溶着片の片面に複数条の嵌合帯体が形成され、各嵌合帯体は、先端に鉤形状の係止部が形成された多数の係止突起が整列状態で配設され、嵌合帯体を相対して重合せしめると各係止突起同士が係合するように設けられた請求項１記載のファスナー付きガゼット袋。
【請求項３】
前記帯状溶着片は、該帯状溶着片の幅員の中央位置に前記嵌合帯体が長手方向に沿って形成され、該帯状溶着片の幅員の両端部に溶着部が長手方向に沿って形成され、前記前面フィルムと後面フィルムと横マチフィルムとの内側に該溶着部が溶着されるように構成された請求項２記載のファスナー付きガゼット袋。
【請求項４】
前記嵌合帯体は、前記帯状溶着片の片面から山形状に突出する固定部が間隔を開けて整列状態で多数形成され、該固定部の先端部に前記係止突起が設けられ、隣接する係止突起の相互間に、相対する嵌合帯体の係止突起が着脱自在に嵌合するように設けられた請求項２記載のファスナー付きガゼット袋。
【発明の詳細な説明】
【技術分野】
【０００１】
本発明は、合成樹脂製のファスナー付きガゼット袋に係り、ガゼット袋の開口面積を損なわずに、この開口部を着脱自在に開閉することが可能なファスナー付きガゼット袋に関する。
【背景技術】
【０００２】
ガゼット袋とは、袋の両サイド又は底部がV字型に畳まれている形態の袋をいう。特許文献１に記載の如く、袋の底部がV字型に畳まれている形態の袋を底ガゼットタイプと称し、特許文献２や特許文献３に記載のように袋の両サイドがV字型に畳まれている形態の袋を横ガゼットタイプと称する。
【０００３】
特許文献１に記載の底ガゼットタイプは、主に液体を充填する包装袋として使用され、開口部に開閉自在なファスナーを設けたもので、底部が広くなる形状を利用して安定性を備えた袋として提案されている。
【０００４】
一方、特許文献２に記載されている横ガゼットタイプは、ガゼット袋として最も多く使用されているタイプである。本発明でガゼット袋と称する場合、特にタイプの説明がないものは全て横ガゼットタイプを示すものとする。特許文献２や特許文献３に記載されているガゼット袋にも、特許文献１と同様に、開口部を開閉自在にするファスナーが設けられている。
【０００５】
特許文献２及び特許文献３に記載のファスナーは、いずれもガゼット袋の前面部に形成されたものである。そして、このガゼット袋に内容物を充填する場合、ヒート溶着する前の開口部にホッパーを挿入して内容物を充填し、充填後、開口部をヒート溶着した後に、前面に設けたファスナーを開封できるように構成している。
【先行技術文献】
【特許文献】
【０００６】
【特許文献１】特開２００５‐３３５７９５号公報
【特許文献２】特開２００３‐９５２８６号公報
【特許文献３】特開２００５‐２６３３００号公報
【発明の概要】
【発明が解決しようとする課題】
【０００７】
特許文献１に記載の底ガゼットタイプは、袋の開口部が扁平な形状になるので、横ガゼットタイプと比べると開口部の面積が狭くならざるを得ない。そのため、内容物充填用のホッパーを開口部に挿入させる際に、この開口部があまり広がらず効率良く充填することができないといった不都合が生じている。また、開口部に開閉自在なファスナーを設けているが、開口部自体の面積が狭いので、収納物の形態によっては、この開口部から取り出しにくくなるおそれもある。
【０００８】
一方、特許文献２及び特許文献３のガゼット袋は、袋の両サイドにマチ部が形成されているので、特許文献１の底ガゼットタイプと比べて開口部の面積が格段に広くなっている。したがって、ホッパーで内容物を充填する際に、広い開口部から効率良く充填することができる。
【０００９】
ところが、充填後、開口部をヒート溶着した後は、ガゼット袋の前面部に設けたファスナーを開口して収納物を取り出すものなので、ファスナーの開口面積が極端に狭くなってしまう。このため、開口部から収納物を取り出す際に、開口部から内部に手指を挿入することが困難になる。また、収納物を取り出す際に、狭い開口部が妨げになって全ての収納物を取り出すことが困難になるなどといった不都合も生じている。
【００１０】
そこで本発明は上述の課題を解消すべく創出されたもので、ガゼット袋の開口面積を損なわずにこの開口部を開閉することが可能になり、収納物の充填作業や収納物の取り出しを容易に行うことができるファスナー付きガゼット袋の提供を目的とするものである。
【課題を解決するための手段】
【００１１】
上述の目的を達成すべく本発明における第１の手段は、開口部にファスナー２０を備えたファスナー付きガゼット袋１０において、該ガゼット袋１０は前面フィルム１１と後面フィルム１２と横マチフィルム１３にて囲まれた開口部を有し、ファスナー２０は開口部の各フィルムの内側に沿って溶着された帯状を成し、隣接するファスナー２０相互が相対して嵌合するように設けられ、開口部の前面フィルム１１と後面フィルム１２との間に左右の横マチフィルム１３が折り込まれた状態で該開口部が開閉自在になるように構成したことにある。
【００１２】
第２の手段において、前記ファスナー２０は、帯状溶着片２１の片面に複数条の嵌合帯体２２が形成され、各嵌合帯体２２は、先端に鉤形状の係止部２４が形成された多数の係止突起２３が整列状態で配設され、嵌合帯体２２を相対して重合せしめると各係止突起２３同士が係合するように設けられたものである。
【００１３】
第３の手段の前記帯状溶着片２１は、該帯状溶着片２１の幅員の中央位置に前記嵌合帯体２２が長手方向に沿って形成され、該帯状溶着片２１の幅員の両端部に溶着部２５が長手方向に沿って形成され、前記前面フィルム１１と後面フィルム１２と横マチフィルム１３との内側に該溶着部２５が溶着されるように構成している。
【００１４】
第４の手段の前記嵌合帯体２２は、前記帯状溶着片２１の片面から山形状に突出する固定部２６が間隔を開けて整列状態で多数形成され、該固定部２６の先端部に前記係止突起２３が設けられ、隣接する係止突起２３の相互間に、相対する嵌合帯体２２の係止突起２３が着脱自在に嵌合するように設けたものである。
【発明の効果】
【００１５】
本発明の請求項１の如く、ファスナー２０は開口部の各フィルムの内側に沿って溶着された帯状を成し、隣接するファスナー２０相互が相対して嵌合するように設けられ、開口部の前面フィルム１１と後面フィルム１２との間に左右の横マチフィルム１３が折り込まれた状態で該開口部が開閉自在になるように構成したことで、ガゼット袋の開口面積を損なわずにこの開口部を開閉することが可能になった。しかも、収納物の充填作業や収納物の取り出しも容易に行うことができる
【００１６】
請求項２の如く、ファスナー２０は、帯状溶着片２１の片面に複数条の嵌合帯体２２が形成され、各嵌合帯体２２は、隣接する嵌合帯体２２が相対して重合すると各係止突起２３同士が係合するように設けられたものであるから、相対する嵌合帯体２２の位置が多少ずれていても確実に嵌合せしめることができる。しかも、嵌合帯体２２の位置を正確に合わせる必要がないので、ファスナー２０の開閉操作を極めて容易に行うことができる。
【００１７】
請求項３記載の帯状溶着片２１によると、帯状溶着片２１の幅員の両端部に溶着部２５が長手方向に沿って形成されているので、帯状のファスナー２０をガゼット袋１０の内側に確実に溶着することができ、ファスナー２０を繰り返し開閉操作しても該ファスナー２０がガゼット袋１０から離脱するおそれはない。したがって、ファスナー２０の嵌合力が強力でも、帯状のファスナー２０を確実に固定することができる。
【００１８】
請求項４に記載の嵌合帯体２２によると、帯状溶着片２１と係止突起２３とが一体となって強固な係合力を発揮することができる。
【図面の簡単な説明】
【００１９】
【図１】本発明の一実施例を示す斜視図である。
【図２】本発明の開口部を示す平面図である。
【図３】本発明の開口部を閉じた状態を示す平面図である。
【図４】本発明の開口部を閉じた状態を示す斜視図である。
【図５】本発明のファスナーを示す平面図である。
【図６】図５に示す矢視V‐V線断面図である。
【図７】本発明のファスナーを嵌合した状態を示す断面図である。
【発明を実施するための形態】
【００２０】
本発明によると、ガゼット袋の開口面積を損なわずにこの開口部を開閉することが可能になり、収納物の充填作業や収納物の取り出し作業を容易に行うことができるなどといった当初の目的を実現した。
【実施例】
【００２１】
以下、図面を参照して本発明の一実施例を説明する。本発明の基本構成はガゼット袋１０とファスナー２０とで構成されている（図１参照）。
【００２２】
ガゼット袋１０は、前面フィルム１１と後面フィルム１２と横マチフィルム１３にて囲まれた開口部を有するもので、前面フィルム１１と後面フィルム１２との間に左右の横マチフィルム１３が折り込まれるものである（図３参照）。図示例では底ガゼットを有する底部フィルム１４を備えている（図１参照）。また、この底部の形状は自由に変更することができる。
【００２３】
ファスナー２０は帯状を成し、開口部の各フィルムの内側に沿って接合されている（図２参照）。そして、隣接するファスナー２０相互が相対して嵌合するように設けられたものである（図３参照）。
【００２４】
このファスナー２０は、帯状溶着片２１と、該帯状溶着片２１の長手方向に沿って設けられた嵌合帯体２２と溶着部２５とで構成されている（図５参照）。
【００２５】
帯状溶着片２１は、合成樹脂材でテープ状に形成された部材で、この帯状溶着片２１の幅員の中央位置に嵌合帯体２２が長手方向に沿って形成されている（図６参照）。また、該帯状溶着片２１の幅員の両端部に溶着用の溶着部２５が長手方向に沿って形成されており、これら嵌合帯体２２と溶着部２５は帯状溶着片２１に沿って平行に形成されている（図５参照）。そして、前面フィルム１１と後面フィルム１２と横マチフィルム１３との内側に、溶着部２５を溶着し、隣接する嵌合帯体２２が相対して重合するように配設されている（図４参照）。
【００２６】
この嵌合帯体２２は、帯状溶着片２１の片面に複数条配設されたものである（図５参照）。各嵌合帯体２２は、多数の係止突起２３が整列状態で配設されている（図６参照）。この係止突起２３は、先端に鉤形状の係止部２４が形成された断面略マッシュルーム形状を成すものである。そして、嵌合帯体２２が相対して重合すると各係止突起２３同士が係合するように設けている（図７参照）。
【００２７】
図示の嵌合帯体２２は、帯状溶着片２１の片面から山形状に突出する固定部２６が間隔を開けて整列状態で多数形成されている（図７参照）。更に、該固定部２６の先端部に前記係止突起２３が設けられている。そして、隣接する係止突起２３の相互間に相対する嵌合帯体２２の係止突起２３が着脱自在に嵌合するように設けられたものである。
【００２８】
本発明はこのように構成されているので、ホッパーで内容物を充填する際に、広い開口部から効率良く充填することができる。また、充填後は開口部をヒート溶着しなくても、ファスナー２０を嵌合するだけで外袋１０の開口部を閉じることが可能になっている。このとき、内容物充填後に、開口部を溶着することも可能である。
【００２９】
ファスナー２０を嵌合する作業は、開口部の前面フィルム１１と後面フィルム１２との間に左右の横マチフィルム１３が折り込まれた状態、すなわち、ガゼット袋１０の開口部が自然に閉じた状態を外側から圧着するだけの簡単な操作で隣接した嵌合帯体２２相互が嵌合状態になる（図４参照）。また、開口部を開ける場合は、前面フィルム１１と後面フィルム１２とを強制的に開くだけの操作で簡単にファスナー２０を開放することができる。
【００３０】
尚、本発明は図示例に限定されるものではなく、ガゼット袋１０やファスナー２０の形状や材質などは、本発明の要旨を変更しない範囲で変更は自由である。
【産業上の利用可能性】
【００３１】
本発明によると、開口部が広くなるので、ぬいぐるみなどのような比較的大きなものや、パン、チーズなどの食品類を収納することができる。また、外袋１０の中に手指を入れることが可能なので、軽量スプーンを入れて使用するペットフードや米、麦などの穀物などを収納する場合にも適している。
【００３２】
更に、ガゼット袋１０の材質はフィルム材に限らず、シート材などの厚手の合成樹脂材の使用も可能であり、例えば、ガゼット袋１０の形状を利用した手提げ袋やバッグなどの形状にすることも可能である。
【００３３】
また、ファスナー２０は、外袋１０の開口部のみならず、外袋１０の中央部などにも複数形成することで、収納室を複数備えたガゼット袋１０を形成することも可能になる。更に、ファスナー２０の溶着手段はヒートシールやウェルダーシールなどのほか、他の接合手段に変更することも可能である。
【符号の説明】
【００３４】
１０  ガゼット袋
１１  前面フィルム
１２  後面フィルム
１３  横マチフィルム
２０  ファスナー
２１  帯状溶着片
２２  嵌合帯体
２３  係止突起
２４  係止部
２５  溶着部
２６  固定部
【図１】
2012111520.tif 000003
【図２】
2012111520.tif 000004
【図３】
2012111520.tif 000005
【図４】
2012111520.tif 000006
【図５】
2012111520.tif 000007
【図６】
2012111520.tif 000008
【図７】
2012111520.tif 000009